(57)【要約】【課題】簡単に封緘することができ、包装強度に優れた確実な封緘状態が得られる差込封緘式の包装箱を提供する。【解決手段】蓋板１を有し、対向する側壁５の上端から延出された内フラップ８が内方向へ折り曲げられ、蓋板１が閉じられ、蓋板１に連設された差込片１０が差し込まれて封緘される包装箱において、内フラップ８には、前端部に折目線１１ａを介して係止片１１が連設され、差込片１０の両側部には、切欠部１０ａが形成されて、その切欠部１０ａに臨むように先端両側に鉤部１０ｂが設けられたものとする。係止片１１を前壁４の内面沿いに下方へ折り曲げ、差込片１０を前壁４の内面と係止片１１の間に差し込むと、係止片１１が差込片１０の切欠部１０ａに嵌まり込み、係止片１１の端縁と差込片１０の鉤部１０ｂの端縁が係合して、封緘状態が維持される。【選択図】図３
2018065574.tif 000002
【特許請求の範囲】
【請求項１】
蓋板(1)を有し、対向する側壁(5)の上端から延出された内フラップ(8)が内方向へ折り曲げられ、蓋板(1)が内フラップ(8)の上方に重なるように閉じられ、蓋板(1)に連設された差込片(10)が前壁(4)の内面沿いに差し込まれて封緘される包装箱において、
前記内フラップ(8)には、前端部に折目線(11a)を介して係止片(11)が連設され、前記差込片(10)の両側部には、切欠部(10a)が形成されて、その切欠部(10a)に臨むように先端両側に鉤部(10b)が設けられ、
前記係止片(11)が前壁(4)の内面沿いに下方へ折り曲げられ、前記差込片(10)が前壁(4)の内面と係止片(11)の間に差し込まれ、係止片(11)が差込片(10)の切欠部(10a)に嵌まり込み、係止片(11)の端縁と差込片(10)の鉤部(10b)の端縁が係合して、封緘状態が維持されることを特徴とする包装箱。
【発明の詳細な説明】
【技術分野】
【０００１】
この発明は、封緘テープを使用することなく、構造的に封緘状態を維持することができる包装箱に関するものである。
【背景技術】
【０００２】
下記特許文献１には、図６に示すような包装箱が記載されている。この包装箱は、後端をヒンジとする蓋板５１を有し、側壁５２の上端から延出された内フラップ５３を内方向へ、前壁５４の上端から延出された裏蓋板５５を後方へ順次折り曲げ、蓋板５１を裏蓋板５５の上方に重ねるように閉じ、蓋板５１の先端に連設された差込片５６を裏蓋板５５の前部のスリット５７を介し前壁５４の内面沿いに差し込んで封緘するものである。
【０００３】
この包装箱では、差込片５６の両側に係止片５６ａが突設され、係止片５６ａの根元には折目線５６ｂが入れられている。スリット５７の両側部には、後方へ向かって切込部５７ａが設けられ、内フラップ５３には、押戻片５８が切込部５７ａに対応する切込により設けられている。蓋板５１の先端部には、差込片５６の根元へかけて間隔が広がるジッパ型の切目線を入れることにより、三角状の切取片５９が設けられている。
【０００４】
そして、包装に際し、係止片５６ａを折目線５６ｂに沿って折り曲げ、切込部５７ａに一致させた状態で、差込片５６をスリット５７に差し込むと、係止片５６ａが折目線５６ｂでの折り曲げの反発及び押戻片５８の押圧により復元して、スリット５７から抜け止めされ、封緘状態が維持される。
【０００５】
また、開封に際しては、切取片５９の切目線を切断し、切取片５９と共に差込片５６を蓋板５１から切り取って、蓋板５１を開放可能とする。
【先行技術文献】
【特許文献】
【０００６】
【特許文献１】特開２０１０−２８５１７９号公報
【発明の概要】
【発明が解決しようとする課題】
【０００７】
しかしながら、上記のような包装箱では、封緘する際、係止片５６ａを切込部５７ａに一致するように折り曲げて、差込片５６をスリット５７に差し込まなければならず、封緘に手間がかかり、包装する商品の出荷作業の能率が上がらないという問題がある。
【０００８】
また、係止片５６ａの根元に折目線５６ｂが入れられ、スリット５７に切込部５７ａが設けられていることから、蓋板５１が開放方向へ無理に引っ張られると、係止片５６ａが折目線５６ｂに沿って千切れたり、スリット５７から破断が進行したりする恐れがある。
【０００９】
そこで、この発明は、簡単に封緘することができ、包装強度に優れた確実な封緘状態が得られる差込封緘式の包装箱を提供することを課題とする。
【課題を解決するための手段】
【００１０】
上記のような課題を解決するため、この発明は、蓋板を有し、対向する側壁の上端から延出された内フラップが内方向へ折り曲げられ、蓋板が内フラップの上方に重なるように閉じられ、蓋板に連設された差込片が前壁の内面沿いに差し込まれて封緘される包装箱において、
前記内フラップには、前端部に折目線を介して係止片が連設され、前記差込片の両側部には、切欠部が形成されて、その切欠部に臨むように先端両側に鉤部が設けられ、
前記係止片が前壁の内面沿いに下方へ折り曲げられ、前記差込片が前壁の内面と係止片の間に差し込まれ、係止片が差込片の切欠部に嵌まり込み、係止片の端縁と差込片の鉤部の端縁が係合して、封緘状態が維持されるようにしたのである。
【発明の効果】
【００１１】
この発明に係る包装箱では、封緘する際、蓋板を閉じて、差込片を前壁の内面と内フラップから下方へ折り曲げた係止片の間に差し込むだけで、係止片が差込片の切欠部に嵌まり込み、係止片の端縁と差込片の鉤部の端縁が係合して、封緘状態が維持されるので、特別な手順を経ることなく、簡単かつ確実に封緘することができる。
【００１２】
また、蓋板の両端部で差込片と係止片が係合するので、内フラップや蓋板の両端部が封緘状態で浮き上がることがない。
【００１３】
また、差込片の鉤部の根元に折目線等が入れられておらず、差込のためのスリットも不要となるので、折目線やスリットに起因する破断が生じにくく、封緘状態での包装強度に優れたものとなる。
【図面の簡単な説明】
【００１４】
【図１】この発明の実施形態に係る包装箱のブランクを示す図
【図２】同上の組立開蓋状態を示す斜視図
【図３】同上の封緘過程を示す斜視図
【図４】同上の封緘状態を示す斜視図
【図５】同上の開封過程を示す斜視図
【図６】特許文献１に記載の包装箱の封緘過程を示す斜視図
【発明を実施するための形態】
【００１５】
以下、この発明の実施形態を添付図面に基づいて説明する。
【００１６】
この包装箱は、図１に示すような段ボールのブランクから形成される。このブランクでは、蓋板１、後壁２、底壁３及び前壁４の各部分が一列に連設され、前壁４は、底壁３から外前板４ａ、額縁部４ｂ及び内前板４ｃが順次連設されたものとなっている。対向する底壁３の両側には、それぞれ側壁５が連設されている。
【００１７】
蓋板１の両側には、それぞれ重合片１ａが折目線を介して張り出すように設けられ、後壁２の両側には、それぞれ連結片６が連設されている。側壁５には、前端に折込片７が連設され、組立時における上端に内フラップ８が連設されている。
【００１８】
側壁５及び内フラップ８には、組立時における側壁５の後端下部の角から内フラップ８の先端へかけて、折畳用の折目線９が斜めに入れられている。折目線９は、押罫と切目が断続するリード罫とされている。
【００１９】
蓋板１の先端には、先端角部が丸められた差込片１０が連設されている。差込片１０の根元側の両側部には切欠部１０ａが形成され、その切欠部１０ａに臨むように先端両側に鉤部１０ｂが設けられている。
【００２０】
内フラップ８の組立時における前端部には、折目線１１ａを介して係止片１１が連設され、係止片１１は、差込片１０の切欠部１０ａよりも少し小さくなっている。
【００２１】
蓋板１の先端部には、差込片１０との境界に沿って引裂帯１２が設けられている。引裂帯１２は、鉤状の切目が断続するジッパ型の２本の切目線１２ａに挟まれたものであり、そのうち１本の切目線１２ａは、差込片１０の根元の折目線を兼用している。
【００２２】
このようなブランクを組み立てるには、蓋板１を裏側に重合片１ａを貼り合わせて二重構造とし、側壁５及び内フラップ８の後部を折目線９に沿って谷折りし、後壁２から連結片６を内方向へ折り曲げた状態で、底壁３から後壁２を前方へ折り曲げ、折目線９の後方で連結片６と側壁５とを貼り合わせる。
【００２３】
これにより、包装箱は、偏平な折畳状態となるので、実際の商品の包装作業時まで嵩張ることなく保管しておくことができる。
【００２４】
そして、商品の包装に際し、図２に示すように、折目線９での折り曲げを伸ばして、側壁５及び後壁２を起立させ、側壁５から折込片７を内方向へ折り曲げ、外前板４ａを起立させ、額縁部４ｂを後方へ、内前板４ｃを下方へ順次折り曲げて、折込片７を外前板４ａと内前板４ｃで挟み込み、二重構造となった前壁４を起立状態に保持する。
【００２５】
このように身箱部分をトレイ状に組み立てた状態で、箱内に商品を収納し、一対の内フラップ８を内方向へ折り曲げると共に、係止片１１を折目線１１ａに沿って下方へ折り曲げると、係止片１１は、反発により前壁４の内面に当接する。
【００２６】
その後、図３に示すように、蓋板１を後壁２から閉じる方向へ折り曲げると共に、差込片１０を下方へ折り曲げる。
【００２７】
そして、図４に示すように、前壁４の内面と係止片１１の間に差し込むと、係止片１１が差込片１０の切欠部１０ａに嵌まり込み、係止片１１の端縁と差込片１０の鉤部１０ｂの端縁が係合して、封緘状態が維持される。
【００２８】
上記のような包装箱では、蓋板１を閉じる際、差込片１０を前壁４の内面と係止片１１の間に差し込むだけで、封緘状態が維持されるので、特別な手順を経ることなく、簡単かつ確実に封緘することができる。
【００２９】
また、蓋板１の両端部で差込片１０と係止片１１が係合するので、内フラップ８や蓋板１の両端部が封緘状態で浮き上がることがない。
【００３０】
また、差込片１０の鉤部１０ｂの根元に折目線等が入れられておらず、差込のためのスリットも不要となるので、折目線やスリットに起因する破断が生じにくく、封緘状態での包装強度に優れたものとなる。
【００３１】
一方、この包装箱を開封する際には、図５に示すように、引裂帯１２を一方の端部から引っ張って蓋板１を切断し、差込片１０が蓋板１から分離する。これにより、蓋板１が開放可能となり、包装した商品を取り出すことができる。
【００３２】
このように開封した後、上記包装箱では、引裂帯１２が蓋板１から完全に切り取られることがなく、蓋板１に繋がったままの状態となるので、小片のゴミが発生しない。
【００３３】
なお、上記実施形態では、底壁３の周囲各辺に後壁２、前壁４及び一対の側壁５が連設され、後壁２の上端に蓋板１が連設されたいわゆるＢ式の包装箱を例示したが、後壁２、前壁４及び一対の側壁５が周方向に連設され、それらの下端から延出された内フラップと外フラップを重ね合わせて底面が閉止されるいわゆるＡ式の包装箱においても、同様の封緘構造を適用することができる。
【００３４】
また、上記実施形態では、蓋板１が後端をヒンジとして開閉するものを例示したが、身箱と蓋体が分かれている包装箱においても、蓋体側では蓋板１の対向辺に差込片１０を連設し、身箱側では、蓋体のそれぞれの差込片１０に対応して、内フラップ８の両側に係止片１１を連設することにより、同様の封緘構造を適用することができる。
【符号の説明】
【００３５】
１  蓋板
１ａ  重合片
２  後壁
３  底壁
４  前壁
４ａ  外前板
４ｂ  額縁部
４ｃ  内前板
５  側壁
６  連結片
７  折込片
８  内フラップ
９  折目線
１０  差込片
１０ａ  切欠部
１０ｂ  鉤部
１１  係止片
１１ａ  折目線
１２  引裂帯
１２ａ  切目線
【図１】
2018065574.tif 000003
【図２】
2018065574.tif 000004
【図３】
2018065574.tif 000005
【図４】
2018065574.tif 000006
【図５】
2018065574.tif 000007
【図６】
2018065574.tif 000008